(57)【特許請求の範囲】
【請求項１】
ハット形鋼からなる支柱間に、上胴縁、下胴縁および菱形金網からなるフェンス用パネルが固定された既設フェンスの前記支柱から前記フェンス用パネルを取り外し、そして、縦桟と横桟とが格子状に組まれたメッシュパネルを前記支柱のフランジ側の面に、左右方向に連続して下部固定金具により固定し、かくして、既設フェンスを新設フェンスに改装した新設フェンスであって、前記下部固定金具は、メッシュパネルの下部を前記支柱に固定し、ねじ棒が固定され、前記支柱のフランジに当接される一方の挟持板と、前記一方の挟持板に重ね合わされる他方の挟持板とからなり、前記一方の挟持板には、前記支柱の一方のフランジに係合する爪と、メッシュパネルの複数個の縦桟用溝とが形成され、前記他方の挟持板には、前記支柱の他方のフランジに係合する爪と、前記ねじ棒の挿通用開口とが形成され、前記一方の挟持板と前記他方の挟持板との間にメッシュパネルの縦桟が挟み込まれ、前記爪が前記フランジに係合され、前記ねじ棒がナット止めされることによって、メッシュパネルが前記支柱のフランジ側の面に固定されていることを特徴とする新設フェンス。
【請求項２】
ハット形鋼からなる支柱間に、上胴縁、下胴縁および菱形金網からなるフェンス用パネルが固定された既設フェンスの前記支柱から前記フェンス用パネルを取り外し、そして、縦桟と横桟とが格子状に組まれたメッシュパネルを前記支柱のフランジ側の面に、左右方向に連続して固定金具により固定し、かくして、既設フェンスを新設フェンスに改装した新設フェンスであって、前記固定金具は、メッシュパネルの上部を前記支柱に固定する上部固定金具とメッシュパネルの下部を前記支柱に固定する下部固定金具とからなり、前記上部固定金具は、前記支柱に嵌合するようにＵ字状に湾曲した回り止めが一端に固定されたねじ棒と、前記支柱のフランジに当接される一方の挟持板と、前記一方の挟持板に重ね合わされる他方の挟持板とからなり、前記一方の挟持板には、前記ねじ棒の挿通用開口と、メッシュパネルの複数個の縦桟用溝とが形成され、前記他方の挟持板には、前記ねじ棒の挿通用開口が形成され、前記一方の挟持板と前記他方の挟持板との間にメッシュパネルの縦桟が挟み込まれ、前記支柱にもともと開けられたボルト孔と前記一方および他方の挟持板の前記開口とに挿通された前記ねじ棒がナット止めされることによって、メッシュパネルが前記支柱のフランジ側の面に固定され、前記下部固定金具は、ねじ棒が固定され、前記支柱のフランジに当接される一方の挟持板と、前記一方の挟持板に重ね合わされる他方の挟持板とからなり、前記一方の挟持板には、前記支柱の一方のフランジに係合する爪と、メッシュパネルの複数個の縦桟用溝とが形成され、前記他方の挟持板には、前記支柱の他方のフランジに係合する爪と、前記ねじ棒の挿通用開口とが形成され、前記一方の挟持板と前記他方の挟持板との間にメッシュパネルの縦桟が挟み込まれ、前記爪が前記フランジに係合され、前記ねじ棒がナット止めされることによって、メッシュパネルが前記支柱のフランジ側の面に固定されていることを特徴とする新設フェンス。
【請求項３】
前記上部固定金具と同一構成の中間部固定金具によって、メッシュパネルの中間部が前記支柱に固定されていることを特徴とする、請求項２に記載の新設フェンス。
【発明の詳細な説明】
【技術分野】
【０００１】
この発明は、既設フェンスの改装方法および新設フェンス、特に、既設のネットフェンスをメッシュフェンスに短期間に、しかも安価に改装することができる、既設フェンスの改装方法およびこの方法により改装された新設フェンスに関するものである。
【背景技術】
【０００２】
従来から広く構築されているフェンスとしてネットフェンスがある。このネットフェンスは、図２０および図２１に示すように、ハット形鋼からなる支柱１と、支柱１間に固定された、アングル鋼からなる上、下胴縁２（上胴縁のみ図示）と、上、下胴縁２間に取り付けられた菱形金網３とからなっている。上胴縁２は、ナックル加工された菱形金網３の上端部に挿通した鉄線４を、上胴縁２の垂直部に形成された爪２Ａに引っ掛けることによって菱形金網３の上端部に取り付けられている。下胴縁（図示せず）の菱形金網３への取り付けは、爪２Ａの向きが上下逆になっている点を除いて、上胴縁の場合と同様である。
【０００３】
上胴縁２の垂直部は、支柱１のリップの上部に形成された上部爪１Ａ内に挿入され、上胴縁２の水平部は、支柱１のウェブに挿通されたボルト５により固定金具６を介して固定されている。固定金具６は、上胴縁２の水平部が嵌め込まれる溝６Ａを有し、袋ナット７によって固定されている。下胴縁の支柱１への固定構造は、上部爪１Ａの向きが上下逆になっている点を除いて、上胴縁の場合と同様である。
【発明の開示】
【発明が解決しようとする課題】
【０００４】
このように構成されているネットフェンスは、年月が経過すると、支柱１に生じた錆、、菱形金網３の破れや変形によって、美観が著しく損なわれ、場合によってはフェンスとしての機能が失われる場合もある。
【０００５】
このような欠陥を有するフェンスは、新規に構築し直すのが最良であるが、構築費用および工期がかかるので、破損部分のみを新たな部材に取り替える改装が得策である。改装する場合であっても、より安価に短期間で構築することが強く望まれている。
【０００６】
しかしながら、現在のところかかる要望を満足する、既設フェンスの改装方法は提案されていない。
【０００７】
一方で、菱形金網３を用いたネットフェンスに比べて美観が優れていることから人気が高まっているメッシュフェンスが近年、主流になりつつある。メッシュフェンスは、上、下端部を種々の形状に折り曲げて胴縁を形成した鋼線材製縦桟に鋼線材製横桟を溶接により接合してメッシュパネルを構成し、この後、このメッシュパネルに樹脂被覆を施して、フェンス用パネルを構成し、これを支柱間に固定したものである。
【０００８】
従って、この発明の目的は、菱形金網を使用した既存のネットフェンスをメッシュパネルを使用したメッシュフェンスに安価に且つ短期間に改装することができる、既設フェンスの改装方法およびこの方法により改装された新設フェンスを提供することにある。
【課題を解決するための手段】
【０００９】
そこで、本願発明者等は、上述した要望に答えるべく、鋭意検討を重ねた結果、以下のような知見を得た。
【００１０】
年月の経過によって、菱形金網３に破れや変形が生じたネットフェンスであっても、多くの場合、支柱の変形や強度低下は生じていない。従って、この既設支柱を新設フェンスにそのまま利用すれば、初めから支柱を構築し直す場合に比べて、費用も工期も大幅に削減することが可能である。しかも、専用の固定金具を用いれば、ネットフェンスの既設支柱にメッシュパネルを容易に取り付けることが可能である。
【００１１】
この発明は、上記知見に基づきなされたものであって、下記を特徴とするものである。
【００１２】
請求項１記載の発明は、ハット形鋼からなる支柱間に、上胴縁、下胴縁および菱形金網からなるフェンス用パネルが固定された既設フェンスの前記支柱から前記フェンス用パネルを取り外し、そして、縦桟と横桟とが格子状に組まれたメッシュパネルを前記支柱のフランジ側の面に、左右方向に連続して下部固定金具により固定し、かくして、既設フェンスを新設フェンスに改装した新設フェンスであって、前記下部固定金具は、メッシュパネルの下部を前記支柱に固定し、ねじ棒が固定され、前記支柱のフランジに当接される一方の挟持板と、前記一方の挟持板に重ね合わされる他方の挟持板とからなり、前記一方の挟持板には、前記支柱の一方のフランジに係合する爪と、メッシュパネルの複数個の縦桟用溝とが形成され、前記他方の挟持板には、前記支柱の他方のフランジに係合する爪と、前記ねじ棒の挿通用開口とが形成され、前記一方の挟持板と前記他方の挟持板との間にメッシュパネルの縦桟が挟み込まれ、前記爪が前記フランジに係合され、前記ねじ棒がナット止めされることによって、メッシュパネルが前記支柱のフランジ側の面に固定されていることに特徴を有するものである。
【００１３】
請求項２記載の発明は、ハット形鋼からなる支柱間に、上胴縁、下胴縁および菱形金網からなるフェンス用パネルが固定された既設フェンスの前記支柱から前記フェンス用パネルを取り外し、そして、縦桟と横桟とが格子状に組まれたメッシュパネルを前記支柱のフランジ側の面に、左右方向に連続して固定金具により固定し、かくして、既設フェンスを新設フェンスに改装した新設フェンスであって、前記固定金具は、メッシュパネルの上部を前記支柱に固定する上部固定金具とメッシュパネルの下部を前記支柱に固定する下部固定金具とからなり、前記上部固定金具は、前記支柱に嵌合するようにＵ字状に湾曲した回り止めが一端に固定されたねじ棒と、前記支柱のフランジに当接される一方の挟持板と、前記一方の挟持板に重ね合わされる他方の挟持板とからなり、前記一方の挟持板には、前記ねじ棒の挿通用開口と、メッシュパネルの複数個の縦桟用溝とが形成され、前記他方の挟持板には、前記ねじ棒の挿通用開口が形成され、前記一方の挟持板と前記他方の挟持板との間にメッシュパネルの縦桟が挟み込まれ、前記支柱にもともと開けられたボルト孔と前記一方および他方の挟持板の前記開口とに挿通された前記ねじ棒がナット止めされることによって、メッシュパネルが前記支柱のフランジ側の面に固定され、前記下部固定金具は、ねじ棒が固定され、前記支柱のフランジに当接される一方の挟持板と、前記一方の挟持板に重ね合わされる他方の挟持板とからなり、前記一方の挟持板には、前記支柱の一方のフランジに係合する爪と、メッシュパネルの複数個の縦桟用溝とが形成され、前記他方の挟持板には、前記支柱の他方のフランジに係合する爪と、前記ねじ棒の挿通用開口とが形成され、前記一方の挟持板と前記他方の挟持板との間にメッシュパネルの縦桟が挟み込まれ、前記爪が前記フランジに係合され、前記ねじ棒がナット止めされることによって、メッシュパネルが前記支柱のフランジ側の面に固定されていることに特徴を有するものである。
【００１４】
請求項３記載の発明は、請求項２記載の発明において、前記上部固定金具と同一構成の中間部固定金具によって、メッシュパネルの中間部が前記支柱に固定されていることに特徴を有するものである。
【発明の効果】
【００１７】
この発明によれば、既設のネットフェンスをメッシュフェンスに安価に且つ短期間に改装することができる。
【発明を実施するための最良の形態】
【００１８】
この発明の、既設フェンスの改装方法の一実施態様を、図面を参照しながら説明する。
【００１９】
図１は、この発明の新設メッシュフェンスを示す部分正面図、図２は、図１のＡ矢視図、図３は、図１のＢ矢視図、図４は、図１のＣ矢視図、図５は、図１のＤ矢視図、図６は、回り止めが固定された上部固定金具のねじ棒を示す正面図、図７は、回り止めが固定された上部固定金具のねじ棒を示す側面図、図８は、回り止めが固定された上部固定金具のねじ棒を示す平面図、図９は、上部固定金具の一方の挟持板を示す正面図、図１０は、上部固定金具の一方の挟持板を示す側面図、図１１は、上部固定金具の一方の挟持板を示す平面図、図１２は、上部固定金具の他方の挟持板を示す正面図、図１３は、上部固定金具の他方の挟持板を示す平面図、図１４は、下部固定金具の一方の挟持板を示す正面図、図１５は、下部固定金具の一方の挟持板を示す側面図、図１６は、下部固定金具の一方の挟持板を示す平面図、図１７は、下部固定金具の他方の挟持板を示す正面図、図１８は、下部固定金具の他方の挟持板を示す側面図、図１９は、下部固定金具の他方の挟持板を示す底面図である。
【００２０】
図１から図４に示すように、この発明の新設メッシュフェンスは、既設ネットフェンスのハット形鋼からなる支柱１からフェンス用パネルを取り外し、そして、メッシュパネル８を支柱１のフランジ側の面に、左右方向に連続して固定金具により固定したものである。ここで、既設のフェンス用パネルとは、上、下胴縁および菱形金網からなるものであり、既設のフェンス用パネルに代えて取り付けられるメッシュパネル８とは、上、下端部を種々の形状に折り曲げて胴縁を形成した鋼線材製縦桟に鋼線材製横桟を溶接により格子状に接合し、この後、このメッシュパネルに樹脂被覆を施したものである。
【００２１】
上記固定金具は、メッシュパネル８の上部を支柱１に固定する上部固定金具（Ｍ）と、メッシュパネル８の下部を支柱１に固定する下部固定金具（Ｎ）とからなっている。
【００２２】
上部固定金具（Ｍ）は、図６から図８に示すように、支柱１に嵌合するようにＵ字状に湾曲した板状の回り止め９が一端に固定されたねじ棒１０と、図９から図１１に示すように、支柱１のフランジに当接される一方の挟持板１１と、図１２、図１３に示すように、一方の挟持板１１に重ね合わされる他方の挟持板１２とからなっている。一方および他方の挟持板１１、１２の長さは、支柱１の幅およびメッシュパネル８の縦桟８Ａの間隔とほぼ等しい。
【００２３】
一方の挟持板１１は、溝形の形状をなし、中央部にねじ棒１０の挿通用開口１１Ａが形成され、両フランジにメッシュパネル８の縦桟８Ａが嵌まり込む溝１１Ｂが複数個形成されたものからなっている。他方の挟持板１２は、一方の挟持板１１および支柱１に被さるように、平板の両端を折り曲げることによって形成され、中央部にねじ棒１０の挿通用開口１２Ａが形成されたものからなっている。
【００２４】
上部固定金具（Ｍ）によりメッシュパネル８を支柱１に固定するには、先ず、メッシュパネル８を支柱１に立て掛けておき、支柱１にもともと開けられたボルト孔１Ｂにねじ棒１０を差し込む。なお、支柱１にもともと開けられたボルト孔１Ｂとは、図２１に示す固定金具６のボルト孔である。このとき、一方の挟持板１１を支柱１のフランジにあてがっておき、その開口１１Ａにねじ棒１０を挿入する。一方の挟持板１１には、複数個の溝１１Ｂが形成され、挟持板１１の長さは、メッシュパネル８の縦桟８Ａの間隔とほぼ等しいので、縦桟８Ａは、何れかの溝１１Ｂに嵌まり込む。
【００２５】
次いで、ねじ棒１０を他方の挟持板１２に挿入し、メッシュパネル８の縦桟８Ａを挟み込む。そして、ナット１３をねじ棒１０にねじ込めば、上部固定金具（Ｍ）によりメッシュパネル８が支柱１の上部フランジ側の面に固定される。ナット１３をねじ込む際に、ねじ棒１０の回り止め９が支柱１に嵌合しているので、ねじ棒１０が空回りすることはない。
【００２６】
なお、支柱１にもともと形成されている爪１Ａは、そのままにしておいても良いし、工具を使用して平らになるまで押し込んでも良い。
【００２７】
このように、上部固定金具（Ｍ）によれば、支柱１に形成されている既存のボルト孔をそのまま使用して、メッシュパネル８の上部を支柱１に確実に固定することができる。
【００２８】
下部固定金具（Ｎ）は、図１４から図１６に示すように、ねじ棒１４が固定され、支柱１のフランジに当接される一方の挟持板１５と、図１７から図１９に示すように、一方の挟持板１５に重ね合わされる他方の挟持板１６とからなっている。
【００２９】
一方の挟持板１５は、溝形の形状をなし、一端に支柱１の一方のフランジ１Ｃに係合する爪１５Ａが形成され、両フランジにメッシュパネル８の縦桟８Ａが嵌まり込む溝１５Ｂが複数個形成されているものからなっている。他方の挟持板１６は、一方の挟持板１５に重ねられ、平板を折り曲げることによって、支柱１の他方のフランジ１Ｄに係合する爪１６Ａが形成され、中央部にねじ棒１４の挿通用開口１６Ｂが形成されているものからなっている。一方および他方の挟持板１５、１６の長さは、支柱１の幅およびメッシュパネル８の縦桟８Ａの間隔とほぼ等しい。
【００３０】
下部固定金具（Ｎ）によりメッシュパネル８を支柱１に固定するには、一方の挟持板１５を支柱１のフランジにあてがい、爪１５Ａをフランジ１Ｃに係合させる。一方の挟持板１５には、複数個の溝１５Ｂが形成され、挟持板１５の長さは、メッシュパネル８の縦桟８Ａの間隔とほぼ等しいので、縦桟８Ａは、何れかの溝１５Ｂに嵌まり込む。次いで、ねじ棒１４を他方の挟持板１６に挿入し、メッシュパネル８の縦桟８Ａを挟み込む。そして、ナット１７をねじ棒１４にねじ込めば、下部固定金具（Ｎ）によりメッシュパネル８が支柱１の下部フランジ側の面に固定される。ナット１７をねじ込む際に、爪１５Ａ、爪１６Ａが支柱１のフランジ１Ｃ、１Ｄに係合しているので、ねじ棒１４が空回りすることはない。
【００３１】
このように、下部固定金具（Ｎ）によれば、支柱１にボルト孔等の加工を新たに施すことなく、メッシュパネル８の下部を支柱１に確実に固定することができる。
【００３２】
以上は、メッシュパネル８の上、下部を固定金具（Ｍ）、（Ｎ）により固定する場合であるが、メッシュパネル８の高さがが高い場合には、メッシュパネル８の中間部も支柱１に固定する必要がある。この場合には、支柱１にもともと形成されている鉄線固定用のボルト孔（図示せず）をそのまま使用し、上部固定金具（Ｍ）と同一の金具を使用して固定すれば良い。
【図面の簡単な説明】
【００３３】
【図１】この発明の新設メッシュフェンスを示す部分正面図である。
【図２】図１のＡ矢視図である。
【図３】図１のＢ矢視図である。
【図４】図１のＣ矢視図である。
【図５】図１のＤ矢視図である。
【図６】回り止めが固定された上部固定金具のねじ棒を示す正面図である。
【図７】回り止めが固定された上部固定金具のねじ棒を示す側面図である。
【図８】回り止めが固定された上部固定金具のねじ棒を示す平面図である。
【図９】上部固定金具の一方の挟持板を示す正面図である。
【図１０】上部固定金具の一方の挟持板を示す側面図である。
【図１１】上部固定金具の一方の挟持板を示す平面図である。
【図１２】上部固定金具の他方の挟持板を示す正面図である。
【図１３】上部固定金具の他方の挟持板を示す平面図である。
【図１４】下部固定金具の一方の挟持板を示す正面図である。
【図１５】下部固定金具の一方の挟持板を示す側面図である。
【図１６】下部固定金具の一方の挟持板を示す平面図である。
【図１７】下部固定金具の他方の挟持板を示す正面図である。
【図１８】下部固定金具の他方の挟持板を示す側面図である。
【図１９】下部固定金具の他方の挟持板を示す底面図である。
【図２０】ネットフェンスを示す部分正面図である。
【図２１】ネットフェンスを示す部分側面図である。
【符号の説明】
【００３４】
１：支柱
１Ａ：爪
１Ｂ：ボルト孔
１Ｃ：一方のフランジ
１Ｄ：他方のフランジ
２：上胴縁
２Ａ：爪
３：菱形金網
４：鉄線
５：ボルト
６：固定金具
６Ａ：溝
７：袋ナット
８：メッシュパネル
８Ａ：縦桟
９：回り止め
１０：ねじ棒
１１：一方の挟持板
１１Ａ：開口
１１Ｂ：溝
１２：他方の挟持板
１２Ａ：開口
１３：ナット
１４：ねじ棒
１５：一方の挟持板
１５Ａ：爪
１５Ｂ：溝
１６：他方の挟持板
１６Ａ：爪
１６Ｂ：開口
１７：ナット
【図１】
0004663422.tif 000002
【図２】
0004663422.tif 000003
【図３】
0004663422.tif 000004
【図４】
0004663422.tif 000005
【図５】
0004663422.tif 000006
【図６】
0004663422.tif 000007
【図７】
0004663422.tif 000008
【図８】
0004663422.tif 000009
【図９】
0004663422.tif 000010
【図１０】
0004663422.tif 000011
【図１１】
0004663422.tif 000012
【図１２】
0004663422.tif 000013
【図１３】
0004663422.tif 000014
【図１４】
0004663422.tif 000015
【図１５】
0004663422.tif 000016
【図１６】
0004663422.tif 000017
【図１７】
0004663422.tif 000018
【図１８】
0004663422.tif 000019
【図１９】
0004663422.tif 000020
【図２０】
0004663422.tif 000021
【図２１】
0004663422.tif 000022